(57)【要約】【課題】  電池で作動する電気機器において、電池が消耗しても電池交換までの時間又は一時的に使用継続できる電池電源の構造の電気機器を提供する。【解決手段】  電池１を主電池１ａと予備電池１ｃとを一体的に結合し、同電池１を上下反転・左右回転又は上下反転と左右回転の組み合わせの姿勢変更をしても携帯電話機１の電池格納空間２ａに格納できる構造とし、しかも通常の格納状態で格納されると主電池１ａの電池端子１ｂが電池格納空間２ａに設けた電源端子２ｂに接続され、又姿勢変更して格納すると予備電池１ｃの電池端子１ｄが電源端子２ｂに接続され、電池１の姿勢変更して格納することで予備電池１ｃの電源で携帯電話機１が一時的に使用可能となる。【選択図】図２
2005294041.tif 000002
【特許請求の範囲】
【請求項１】
機器本体に脱着自在に格納される電池を用いて電気又は電子回路を作動させる電池作動電気機器に於いて、電池が主電池と予備電池とが一体的に結合され、電池を上下反転・左右回転又は上下反転と左右回転の組み合わせの姿勢を変更しても機器本体に格納できる構造とし、しかも電池の通常格納状態では主電池の電池端子が機器本体の格納周縁に設けた電源端子と接触して主電池の電源が電源端子を介して機器本体に給電されるとともに、電池姿勢を変えて格納しても予備電池の電池端子が格納周縁に設けられた電源端子と接触して同電源端子を介して予備電池の電源が機器本体に給電されるようにした、電池作動電気機器。
【請求項２】
電池の通常格納状態での主電池の電池端子位置と、電池の姿勢変更した格納状態での予備電池の電池端子位置とが一致して機器本体の電源端子が共用して同じ電源端子から給電されるようにした請求項１記載の電池作動電気機器。
【発明の詳細な説明】
【技術分野】
【０００１】
本発明は、脱着自在に機器本体に取付けられた電池を電源とし、その電源で電気回路、電子回路を作動させる電池作動電気機器に関する。
【背景技術】
【０００２】
電池を用いた携帯電話機等の電気機器において、電池の電源が低下すると新しい電池と交換する必要があるが、新しい電池を用意できず消耗した電池を限度まで使用すると使用途中で突然機器の機能が停止する。例えば携帯電話機の場合、大切な通信途中で停止してしまうという問題が生じる。
【０００３】
これを解消するため、機器に主電源の主電池と、臨時用電源の予備電池を内蔵させて、主電池が消耗すると切換えスイッチの切換えで予備電池を使用できるようにする方式が採用されるものがある。この例として特開平８−１５４３６号公報のバッテリー装置が知られている。
【０００４】
しかしながら、この方式のものでは、主電池（常用バッテリー）と予備電池（補助バッテリー）とは別体であり、機器本体に各電池の格納空間と切換えスイッチを設けなくてはならない。そのため、機器の電池格納空間が大きくなってしまうものであった。又機器側に大巾な改造が必要となる。
【特許文献１】特開平８−１５４３６号公報
【発明の開示】
【発明が解決しようとする課題】
【０００５】
本発明が解決しようとする課題は、従来のこれらの問題点を解消し、主電池が消耗しても予備電池で作動を一時的に継続できるとともに、電池の姿勢を変えて格納するだけで予備電池が使用できるようになって、格納空間を小さく且つ機器本体の改造はないか又はしても小巾の改造で済み、安価に製作できる電池作動電気機器を提供することにある。
【課題を解決するための手段】
【０００６】
かかる課題を解決した本発明の構成は、
１）  機器本体に脱着自在に格納される電池を用いて電気又は電子回路を作動させる電池作動電気機器に於いて、電池が主電池と予備電池とが一体的に結合され、電池を上下反転・左右回転又は上下反転と左右回転の組み合わせの姿勢を変更しても機器本体に格納できる構造とし、しかも電池の通常格納状態では主電池の電池端子が機器本体の格納周縁に設けた電源端子と接触して主電池の電源が電源端子を介して機器本体に給電されるとともに、電池姿勢を変えて格納しても予備電池の電池端子が格納周縁に設けられた電源端子と接触して同電源端子を介して予備電池の電源が機器本体に給電されるようにした、電池作動電気機器
２）  電池の通常格納状態での主電池の電池端子位置と、電池の姿勢変更した格納状態での予備電池の電池端子位置とが一致して機器本体の電源端子が共用して同じ電源端子から給電されるようにした前記１）記載の電池作動電気機器
にある。
【発明の効果】
【０００７】
本発明によれば、電池の姿勢を変えて格納するだけで予備電池が使用できるようになるため、電気機器の作動の停止がほとんどなく電池を交換できるようになるまでの時間使用可能となる。
又、電池の方の簡単な改造が主たる改造となり、機器本体は改造しなくて済むか、又はごく簡単な端子の増設に済むので安価に製作できるものとなる。
【発明を実施するための最良の形態】
【０００８】
本発明における電池は、直方体形状にしてその主電池と予備電池それぞれの２つの電池端子を、電池姿勢を水平１８０°回転させたら、別の電池の電池端子が元の電池端子位置にくるように対偶的に電池端子対を設けものとする構造のものが機器本体に電池端子と接続する電源端子を２端子だけ設けて済み、機器本体の改造はほとんどしなくて済み、又既存の電池と同じ寸法形状の本発明の電池のみを用意すればよいこととなるので既存の電池との互換性があって好ましい。
電池中の主電池と予備電池の容量との比率は０．９対０．１、０．８対０．２程が実用的であり、予備電池が１日又は数日使える程度の容量が電池交換の機会が確保できて好ましい。
【実施例１】
【０００９】
以下、本発明の実施例１を図面を基づいて説明する。実施例１は携帯電話機の電池に適用した例であり、電池は板状の直方体形状とし、１８０°水平回転させて格納することで、主電池と予備電池とが交代的に使用できるようにした例である。
【００１０】
図１は、実施例１の電池と携帯電話機を示す斜視図である。
図２は、実施例１の予備電池の交代使用説明図である。
図中、１は実施例１の電池、１ａは主電池、１ｂは主電池の電池端子、１ｃは予備電池、１ｄは同予備電池の電池端子、２は携帯電話機、２ａは電池格納空間、２ｂは電源端子である。
【００１１】
この実施例１では、電池は平板状で直方体であり、１８０°水平回転させた姿勢でも携帯電話機２の電池格納空間２ａに格納されるものである。
通常は主電池１ａを通常姿勢で電池格納空間２ａに格納し、その電池端子１ｂが電源端子２ｂに接触して接続されて給電される。
【００１２】
主電池１ａの電源が低下すれば電池１を取り出して水平で１８０°回転させた姿勢で電池格納空間２ａに格納する。この状態では予備電池１ｃの電池端子１ｄが電源端子２ｂと接続され、予備電池１ｃの電源が給電される。
【００１３】
このように、主電池１ａの電源が低下、消耗しても、電池姿勢を変えて格納し直すことで携帯電話機２はそのまま直ちに使用可能となり、通信の停止があっても直ちに回復できるものである。しばらく使用した後、新しい電池１と交換すればよい。
【００１４】
本実施例１は、既存の板状直方体の電池の携帯電話機に対しても、本発明の電池のみの交換で使用できるようになる利点がある。
【実施例２】
【００１５】
図３，４に示す実施例は、本発明の他の実施例である。
図３に示す実施例２は、電池２１は反転（上下裏返し）して使用する例であり、電池２１は反転しても電池格納空間２２ａに格納できる。又、反転しても他の電池（主電池２１ａ，予備電池２１ｃ）の電池端子２１ｂ，２１ｄの一方が電源端子２２ｂに接続される位置に電池端子２１ｂ，２１ｄが設けられている例である。この例も機器側の電源端子２２ｂは１個所で済むようにできる。
【実施例３】
【００１６】
図４に示す実施例３は、電源端子対が１組（１対）であって電池格納空間３２ａに設けられ、電池３１は反転して使用する例である。
この実施例３では、常時は主電池３１ａの電池端子３１ｂが電源端子３１ｄに接続され、主電池３１ａから電源から給電される。予備電池３１ｃを使用するときは電池３１を取り出して反転して（上下逆にして）電池格納空間３２ａに格納する。すると予備電池３１ｃの電池端子３１ｄが電源端子３２ｂに接続され、予備電池３１ｃから給電される。
【００１７】
本発明の電池の電池端子の対の位置は９０°回転，反転しての１８０°回転等の格納姿勢に応じて適切に配置されるものであり、電源端子はそれに応じた電池格納空間位置に１対又は２対設けられるものである。
又、電池の平面形状は長方形，正方形，円形を問わず、主電池と予備電池が使用状態になるように格納できればよい。
【産業上の利用可能性】
【００１８】
本発明の電池作動電気機器としては、携帯電話機，ＣＤ及びＭＤプレイヤー，デジタルカメラ，パソコン等の携帯できて可搬性の電気機器の他に、固定して設置される電気機器にも広く使用できるものである。
【図面の簡単な説明】
【００１９】
【図１】実施例１の電池と携帯電話機を示す斜視図である。
【図２】実施例１の予備電池の交代使用を示す説明図である。
【図３】実施例２を示す説明図である。
【図４】実施例３を示す説明図である。
【符号の説明】
【００２０】
１，２１，３１  電池
１ａ，２１ａ，３１ａ  主電池
１ｂ，２１ｂ，３１ｂ  主電池の電池端子
１ｃ，２１ｃ，３１ｃ  予備電池
１ｄ，２１ｄ，３１ｄ，３１ｅ  予備電池の電池端子
２，２２，３２  携帯電話機
２ａ，２２ａ，３２ａ  電池格納空間
２ｂ，２２ｂ，３２ｂ  電源端子
【図１】
2005294041.tif 000003
【図２】
2005294041.tif 000004
【図３】
2005294041.tif 000005
【図４】
2005294041.tif 000006